(57)【要約】【課題】背凭れが起立した状態では座部に設けたエアバッグによるマッサージをキャンセル可能に設けた椅子式マッサージ装置を提供することを目的とするものである。【解決手段】座部４及び座部４の後部にリクライニング可能に設けられた背凭れ部５を有する椅子本体１と、この椅子本体１の座部４に配設されたエアバッグ１１，１２と、このエアバッグ１１，１２に対してエアを給排気する給排気手段（給排気装置）１４）と、この給排気装置を制御する制御装置（制御手段）１５を備えている。しかも、背凭れ部５の起立時には前記制御装置１５により前記給排気装置１４を制御して前記座部のエアバッグへの給排気動作を停止させる選択手段（キャンセルスイッチ３５及び復帰スイッチ３６、又は変形例１，２のスイッチ）を設けている。【選択図】　図２
2004008676.tif 000002
【特許請求の範囲】
【請求項１】
座部及び前記座部の後部にリクライニング可能に設けられた背凭れ部を有する椅子本体と、この椅子本体の座部に配設されたエアバッグと、このエアバッグに対してエアを給排気する給排気装置と、この給排気装置を制御する制御手段を備えた椅子式マッサージ装置において、
前記背凭れ部の起立時には前記制御手段により前記給排気装置を制御して前記座部のエアバッグへの給排気動作を停止させる選択手段を設けたことを特徴とする椅子式マッサージ装置。
【請求項２】
座部及び前記座部の後部にリクライニング可能に設けられた背凭れ部を有する椅子本体と、この椅子本体の座部に配設されたエアバッグと、このエアバッグに対してエアを給排気する給排気装置と、この給排気装置を制御する制御手段を備えた椅子式マッサージ装置において、
前記背凭れ部のリクライニング状態を検出して検出信号を出力するリクライニング状態検出手段を設け、前記制御手段はこのリクライニング検出手段からの検出信号により前記給排気装置を制御して前記座部のエアバッグへの給排気動作を実行することを特徴とする椅子式マッサージ装置。
【発明の詳細な説明】
【０００１】
【発明の属する技術分野】
この発明は、座部等に設けられたエアバッグを膨張・収縮させることによりマッサージを行う椅子式マッサージ装置に関するものである。
【０００２】
【従来の技術】
この種の椅子式マッサージ装置としては、例えば特開平１１−１２８２８７号公報に開示された様なエアマッサージ装置が知られている。このエアマッサージ装置では、背凭れ部に設けたエアバッグを膨張・収縮させることにより、上半身のマッサージ部位である首，肩，背中，腰等のマッサージが行われるようになっている。また、このエアマッサージ装置では、座部に設けたエアバッグを膨張・収縮させることにより、下半身のマッサージ部位である臀部や大腿部のマッサージが行われ、脚載せ台に設けたエアバッグを膨張・収縮させることにより、下半身のマッサージ部位である脹ら脛（下肢）のマッサージが行われるようになっている。
【０００３】
この種の椅子式エアマッサージ装置では、全身の複数のマッサージ部位を複数のエアバッグで順にマッサージする全身マッサージコース、上半身の複数のマッサージ部位を複数のエアバッグで順にマッサージする上半身マッサージコース、下半身の複数のマッサージ部位を複数のエアバッグで順にマッサージする下半身マッサージコースを設けたものが考えられている。
【０００４】
【発明が解決しようとする課題】
ところで、この様な椅子式マッサージ装置の利用者には、背凭れ部が起立した状態で臀部や大腿部のマッサージを行うのを不快に感じる人も少なくない。
【０００５】
しかしながら、上述したような全身や下半身のマッサージコースを有する椅子式マッサージ装置では、背凭れ部が起立した状態でもコースに従うマッサージにおいて臀部や大腿部のマッサージを行うことができるため、一部の利用者に不快感を与える虞があった。
【０００６】
そこで、この発明は、背凭れ部が起立した状態では座部に設けたエアバッグによるマッサージをキャンセル可能に設けた椅子式マッサージ装置を提供することを目的とするものである。
【０００７】
【課題を解決するための手段】
この目的を達成するため、この発明の椅子式マッサージ装置は、座部及び前記座部の後部にリクライニング可能に設けられた背凭れ部を有する椅子本体と、この椅子本体の座部に配設されたエアバッグと、このエアバッグに対してエアを給排気する給排気装置と、この給排気装置を制御する制御手段を備えた椅子式マッサージ装置において、前記背凭れ部の起立時には前記制御手段により前記給排気装置を制御して前記座部のエアバッグへの給排気動作を停止させる選択手段を設けたことを特徴とする。
【０００８】
【発明の実施の形態】
以下、この発明の実施の形態を図面に基づいて説明する。
［構成］
図１において、１は椅子式マッサージ装置の椅子本体である。この椅子本体１は、左右の脚部２，２と、脚部２，２に取り付けられたフレーム３を有する。また、椅子本体１は、フレーム３に設けられた座部４と、座部４の後縁部にリクライニング可能に装着された背凭れ部５と、座部４の前縁部に上下回動可能に取り付けられた足載せ台６と、座部４の両側に設けられた肘掛け７，７を備えている。
【０００９】
尚、この背凭れ部５をリクライニングする機構については周知のリクライニング機構が採用できるので、その詳細な説明は省略する。また、足載せ台６は、背凭れ部５のリクライニングに応じて上下回動するようにすることができる。即ち、足載せ台６は、背凭れ部５を後方に倒してリクライニングさせたときに、背凭れ部５のリクライニングの角度に応じて上方に回動するようにすることができる。この機構としては、周知の機構を採用できるが、リンク機構を用いることもできる。また、背凭れ部５のリクライニングの角度をポテンショメータ等のセンサにより検出して、このセンサからの検出信号により油圧シリンダ或いはエアシリンダ等のシリンダを伸縮制御することにより、このシリンダにより足載せ台６を背凭れ部５のリクライニング角度に応じて上下回動させるようにしてもよい。
【００１０】
更に、背凭れ部５のリクライニング機構及び足載せ台６の上下回動機構としては、本出願人の出願にかかる特願２００１−１２３８０５号に開示された様な構造（機構）を採用することもできる。
【００１１】
また、座部４の上面４ａ，背凭れ部５の前面５ａ及び足載せ台６の前面６ａは人体当接面となる。この背凭れ部５の前面５ａ側には、首部マッサージ用のエアバッグ８，８、背中部マッサージ用のエアバッグ９，９及び腰部マッサージ用のエアバッグ１０，１０が装着されている。しかも、座部４の上面４ａ側には、臀部マッサージ用のエアバッグ１１及び大腿部マッサージ用のエアバッグ１２が装着されている。更に、足載せ台６の前面６ａ側には、下腿部（脹ら脛部）マッサージ用のエアバッグ１３，１３が装着されている。
【００１２】
このエアバッグ８〜１３は、図５に示した給排気装置１４により膨張・収縮させられるようになっている。
【００１３】
この給排気装置１４は、演算制御回路等を有する制御装置（制御手段）１５と、この制御装置１５により作動制御されるエアポンプ（エア供給手段）１６と、エアポンプ１６からのエアをエアバッグ８〜１３に対して分配したり、エアバッグ８〜１３のエアを排気したりするエア分配・排気手段１７を有する。
【００１４】
このエア分配・排気手段１７は、図６に示したように制御装置１５により作動制御（駆動制御）される複数の三方電磁切換弁１８〜２３を有する。
【００１５】
この三方電磁切換弁１８は、エアポンプ１６とエアバッグ８とを連通させたり、エアバッグ８を大気に連通させたりする切り替えを行うようになっている。そして、三方電磁切換弁１８がエアポンプ１６とエアバッグ８とを連通させたときには、エアポンプ１６から吐出されるエアをエアバッグ８に供給されて、エアバッグ８を膨張させられる様になっている。また、三方電磁切換弁１８がエアバッグ８を大気に連通させたときには、エアバッグ８のエアが大気に排気されて、エアバッグ８が収縮される様になっている。
【００１６】
同様に、三方電磁切換弁１９〜２３は、エアバッグ９〜１３に対するエアの給気・排気に切り替えを行って、エアバッグ９〜１３を膨張・収縮させることができるようになっている。
【００１７】
更に、フレーム３には、背凭れ部５から後方に突出する取付部３ａが一体に設けられている。この取付部３ａには、背凭れ部５のリクライニング状態を検出するスイッチ（センサ）２４がリクライニング状態検出手段として取り付けられている。しかも、このスイッチ２４は、アクチュエータ２４ａが上方に向けて突出させられている。そして、スイッチ２４は、背凭れ部５が図３に示したように後方に所定の角度までリクライニングされたときに、背凭れ部５の背面（後面）でアクチュエータ２４ａが押されて、ＯＮ信号をリクライニング検出信号として出力する様になっている。このリクライニング検出信号は制御装置１５に入力されるようになっている。
【００１８】
この制御装置１５は、スイッチ２４からのリクライニング検出信号がない場合、背凭れ部５が起立状態であると判断し、スイッチ２４からのリクライニング検出信号がある場合に背凭れ部５がリクライニング状態であると判断するようになっている。尚、背凭れ部５の起立状態やリクライニング状態は、背凭れ部５の起立状態を検出するスイッチをリクライニング状態検出手段として設けて、このスイッチからの検出信号を基に判断しても良いし、背凭れ部５の起立状態からリクライニング状態まで無段階で検出するポテンショメータをリクライニング状態検出手段として設けて、このポテンショメータからの検出信号を基に判断しても良い。
【００１９】
また、肘掛け７，７の一方には、操作パネル２５が操作部（操作手段）として設けられている。この操作パネル２５には、図４に示したように、電源スイッチ２６，自動マッサージコースのスイッチ群及び好みマッサージコースのための「好み」スイッチ２７が設けられている。この自動マッサージコースのスイッチ群としては、全身マッサージコースの「全身」スイッチ２８、上半身マッサージコースの「上半身」スイッチ２９、下半身マッサージコースの「下半身」スイッチ３０が設けられている。そして、各スイッチ２７〜３０の側方には選択されたことを表示するＬＥＤ（表示手段）２７ａ〜３０ａが設けられている。
【００２０】
この「全身」スイッチ２８を押すと、「首」、「背中」、「腰」、「臀」、「大腿」、「脹ら脛」の順にマッサージが行われる様に設定されている。また、「上半身」スイッチ２９を押すと、「首」、「背中」、「腰」のマッサージが行われるようになっている。更に、「下半身」スイッチ３０を押すと、「臀」、「大腿」、「脹ら脛」のマッサージが行われるようになっている。これらのマッサージは、制御装置１５がエアポンプ１６及び三方電磁切換弁１８〜２３を作動制御して、エアバッグ８〜１３の膨張・収縮制御を行うことにより、実行される。
【００２１】
更に、操作パネル２５には、モード切替スイッチ３１，エアバッグ選択スイッチ３２，エアバッグ決定スイッチ３３，設定スイッチ３４，座部キャンセルスイッチ３５，復帰スイッチ３６が設けられていると共に、エアバッグ選択モード用のＬＥＤ（表示手段）３７，好みエアバッグ選択モード用のＬＥＤ（表示手段）３８，動作モード用のＬＥＤ（表示手段）３９、キャンセル表示用のＬＥＤ（表示手段）４０が設けられている。また、操作パネル２５には、「首」、「背中」、「腰」、「臀」、「大腿」、「脹ら脛」にそれぞれ対応するＬＥＤ（表示手段）Ａ〜Ｆが設けられている。
【００２２】
そして、制御装置１５には電源スイッチ２６が接続されている。また、スイッチ２７〜３６からの操作信号は制御装置１５に入力され、ＬＥＤ（表示手段）２７ａ〜３０ａ、ＬＥＤ３７〜４０、ＬＥＤ（表示手段）Ａ〜Ｆは制御手段１５により点灯制御させられる様になっている。更に、制御装置１５にはメモリＭ１，Ｍ２が接続されている。
【００２３】
このメモリＭ１には、ＥＥＰＲＯＭ等のメモリが用いられ、自動マッサージコース、即ち全身マッサージコース、上半身マッサージコース、下半身マッサージコース等において、エアバッグ８〜１３を膨張・収縮させる順番や膨張回数、膨張している時間等その他の条件が記憶されている。即ち、メモリＭ１には、自動マッサージコース、即ち全身マッサージコース、上半身マッサージコース、下半身マッサージコース等において、エアポンプ１６の作動制御や三方電磁切換弁１８〜２３の作動制御する順番や膨張回数、膨張している時間等その他の条件が記憶されている。
［作用］
次に、この様な構成のマッサージ装置の制御装置１５による制御作用を図１〜図６及び図７のフローチャートに基づいて説明する。
【００２４】
この様な構成において、制御装置１５は、電源スイッチ２６がＯＮさせられると制御動作をスタートして、メモリＭ２の内容をイニシャライズし、図７のステップＳ１で動作モードか否かを判断する。この判断において、動作モードでなければステップＳ２に移行し、動作モードであればＬＥＤ３９を点灯させてステップＳ２２に移行する。
【００２５】
このステップＳ２では、モード切替スイッチ３１によりエアバッグ選択モードが選択されているか否かが判断される。そして、エアバッグ選択モードが選択されていると判断された場合にはＬＥＤ３７を点灯させてステップＳ１９に移行し、エアバッグ選択モードが選択されていないと判断された場合にはステップＳ３に移行する。尚、モード切替スイッチ３１を押す毎にＬＥＤ３７，３８，３９の一つが順に点灯表示される。
（１）好みマッサージコース設定
このステップＳ３では、好みエアバッグ選択モードが選択されているか否かが判断される。そして、好みエアバッグ選択モードが選択されていると判断された場合にはステップＳ４に移行し、好みエアバッグ選択モードが選択されていない判断された場合にはステップＳ１に戻ってループする。
【００２６】
ステップＳ４では、選択スイッチ３２によりマッサージ部位である「首」が選択されたか否かが判断され、「首」が選択されていると判断された場合にはステップＳ１０でＬＥＤＡが点灯させられ、ステップＳ１６に移行する。
【００２７】
このステップＳ１６において、決定スイッチ３３が押されていないと判断された場合、ステップＳ１８に移行する。また、ステップＳ１６において決定スイッチ３３が押されていると判断された場合には、ステップＳ１７に移行して「首」をマッサージ部位としてメモリＭ２に記憶し、ステップＳ１８に移行する。そして、ステップＳ１８において、設定スイッチ３４が押されていないと判断された場合、ステップＳ２に戻ってループする。尚、最初はマッサージ部位である「首」が選択されていて、ステップＳ１０でＬＥＤＡが点灯させられる様になっている。
【００２８】
そして、ステップＳ４，Ｓ１０，Ｓ１６，Ｓ１７，Ｓ１８，Ｓ２とループしている途中で、又はステップＳ４，Ｓ１０，Ｓ１６，Ｓ１８，Ｓ２とループしている途中で、エアバッグ選択スイッチ３２が押されると、「首」の選択からステップＳ５に移行して「背中」が選択されたと判断する。
【００２９】
同様にしてエアバッグ選択スイッチ３２が押される毎に、「腰」、「臀」、「大腿」、「脹ら脛」等が順に選択され、選択されたマッサージ部位が決定スイッチ３３によりマッサージ部位として決定されたか否かが順に判断される様になっている。そして、選択されたマッサージ部位が決定スイッチ３３によりマッサージ部位として決定された場合には、メモリＭ２に記憶する様になっている。
【００３０】
そして、ステップＳ１８において、設定スイッチ１８が押された判断すると、ステップＳ１に戻ってループする。
（２）座部マッサージ設定
上述した様にステップＳ２では、モード切替スイッチ３１によりエアバッグ選択モードが選択されているか否かが判断される。そして、エアバッグ選択モードが選択されていると判断された場合にはＬＥＤ３７を点灯させてステップＳ１９に移行する。
【００３１】
このステップＳ１９では、座部キャンセルスイッチ３５がＯＮされたか否かが判断される。この判断において座部キャンセルスイッチ３５がＯＮされていると判断した場合には、ＬＥＤ４０を点灯させてステップＳ２０に移行する。また、座部キャンセルスイッチ３５がＯＮされていないと判断した場合には、ステップＳ１８に移行する。
【００３２】
ステップＳ２０では、復帰スイッチ３６がＯＮさせられたか否かが判断される。そして、復帰スイッチ３６がＯＮさせられていない場合にはステップＳ２１に移行し、座部のエアバッグ１１，１２の制御を背凭れ部５の起立時にキャンセルするために、キャンセルのフラグＦ「１」をメモリＭ２に記憶させる。即ち、背凭れ部５が起立している状態では、座部のエアバッグ１１，１２の膨張・収縮をキャンセルさせ、背凭れ部５がリクライニングしているときにのみエアバッグ１１，１２の膨張・収縮を可能とさせるフラグＦ「１」をメモリＭ２に記憶させる。
【００３３】
また、ステップＳ２０において、復帰スイッチ３６がＯＮさせられていると判断した場合、ＬＥＤ４０を消灯させて、キャンセルのフラグＦ「１」をキャンセル解除のフラグＦ「０」にしてメモリＭ２に記憶させ、ステップＳ１８に移行する。
【００３４】
そして、ステップＳ１８において、設定スイッチ３４が押されているか否かが判断され、押されていれば設定が終了してステップＳ１に戻る。また、設定スイッチ３４が押されていなければ、ステップＳ２に戻ってループする。
（３）動作モード
ステップＳ１で動作モードか否かを判断する。この判断において、動作モードでなければステップＳ２に移行し、動作モードであればＬＥＤ３９を点灯させてステップＳ２２に移行する。
【００３５】
このステップＳ２２では、背凭れ部５がリクライニングされて、この背凭れ部５によりスイッチ２４のアクチュエータ２４ａが押され、スイッチ２４がＯＮしたか否かが判断される。
【００３６】
このスイッチ２４がＯＮしていなければ、ステップＳ３１〜３８の背凭れ部５が起立時のマッサージ制御が行われる。また、スイッチ２４がＯＮしていれば、ステップＳ２３〜３０のリクライニングモードにおけるマッサージの制御が行われる。
（ｉ）背凭れ部５のリクライニング時（リクライニングモード）
このリクライニング時には、ステップＳ２３〜３０のマッサージ制御が以下の様にして実行される。
＜全身マッサージコース＞
ステップＳ２２からステップＳ２３に移行すると、「全身」スイッチ２８が押されたか否かが判断される。そして、「全身」スイッチ２８がＯＮされていると判断されると、ステップＳ２７に移行する。このステップＳ２７では、エアポンプ１６及び三方電磁切換弁１８〜２３が制御装置１５により作動制御されて、エアバッグ８〜１３が順に設定された回数膨張・収縮制御させられ、マッサージ椅子利用者の全身すなわち「首」、「背中」、「腰」、「臀」、「大腿」、「脹ら脛」が順にマッサージされ、ステップＳ１に戻りループする。
＜上半身マッサージコース＞
また、ステップＳ２３において、「全身」スイッチ２８がＯＮされていないと判断されると、ステップＳ２４に移行する。このステップＳ２４では、「上半身」スイッチ２９が押されたか否かが判断される。そして、「上半身」スイッチ２９がＯＮされていると判断されると、ステップＳ２８に移行する。このステップＳ２８では、エアポンプ１６及び三方電磁切換弁１８〜２０が制御装置１５により作動制御されて、エアバッグ８〜１０が順に設定された回数膨張・収縮制御させられ、マッサージ椅子利用者の上半身すなわち「首」、「背中」、「腰」が順にマッサージされ、ステップＳ１に戻りループする。
＜下半身マッサージコース＞
また、ステップＳ２４において、「上半身」スイッチ２９がＯＮされていないと判断されると、ステップＳ２５に移行する。このステップＳ２５では、「下半身」スイッチ３０が押されたか否かが判断される。そして、「下半身」スイッチ３０がＯＮされていると判断されると、ステップＳ２９に移行する。このステップＳ２９では、エアポンプ１６及び三方電磁切換弁２１〜２３が制御装置１５により作動制御されて、エアバッグ１１〜１３が順に設定された回数膨張・収縮制御させられ、マッサージ椅子利用者の下半身すなわち「臀」、「大腿」、「脹ら脛」が順にマッサージされ、ステップＳ１に戻りループする。
＜好みマッサージコース＞
更に、ステップＳ２５において、「下半身」スイッチ３０がＯＮされていないと判断されると、ステップＳ２６に移行する。このステップＳ２６では、「好み」スイッチ２７が押されたか否かが判断される。そして、「好み」スイッチ２７がＯＮされていると判断されると、ステップＳ３０に移行する。
【００３７】
このステップＳ３０では、上述の「（１）好みマッサージコース設定」で、例えば「背中」、「腰」、「大腿」、「脹ら脛」が好みで選択されていると、エアポンプ１６及び三方電磁切換弁１９，２０，２２，２３が制御装置１５により作動制御されて、エアバッグ９，１０，１２，１３が順に設定された回数膨張・収縮制御させられ、マッサージ椅子利用者の「背中」、「腰」、「大腿」、「脹ら脛」が順にマッサージされ、ステップＳ１に戻りループする。
（ｉｉ）背凭れ部５の起立時
背凭れ部５の起立時にはステップＳ３１〜３８の制御が以下の様に行われる。
＜全身マッサージコース＞
ステップＳ２２からステップＳ３１に移行すると、「全身」スイッチ２８が押されたか否かが判断される。そして、「全身」スイッチ２８がＯＮされていると判断されると、ステップＳ３５に移行する。このステップＳ３５では、エアポンプ１６及び三方電磁切換弁１８〜２３が制御装置１５により作動制御されて、エアバッグ８〜１３が順に設定された回数膨張・収縮制御させられ、マッサージ椅子利用者の全身すなわち「首」、「背中」、「腰」、「臀」、「大腿」、「脹ら脛」が順にマッサージされ、ステップＳ１に戻りループする。
【００３８】
ところで、（２）の座部マッサージ設定に際して、座部のエアバッグ１１，１２の制御を背凭れ部５の起立時にキャンセルするために、キャンセルのフラグＦ「１」をメモリＭ２に記憶させている場合、ステップ３５における利用者の全身マッサージのうち、座部のマッサージである「臀」、「大腿」のマッサージがキャンセルされる。
＜上半身マッサージコース＞
また、ステップＳ３１において、「全身」スイッチ２８がＯＮされていないと判断されると、ステップＳ３２に移行する。このステップＳ３２では、「上半身」スイッチ２９が押されたか否かが判断される。そして、「上半身」スイッチ２９がＯＮされていると判断されると、ステップＳ３６に移行する。このステップＳ３６では、エアポンプ１６及び三方電磁切換弁１８〜２０が制御装置１５により作動制御されて、エアバッグ８〜１０が順に設定された回数膨張・収縮制御させられ、マッサージ椅子利用者の上半身すなわち「首」、「背中」、「腰」が順にマッサージされ、ステップＳ１に戻りループする。
＜下半身マッサージコース＞
また、ステップＳ３２において、「上半身」スイッチ２９がＯＮされていないと判断されると、ステップＳ３３に移行する。このステップＳ３３では、「下半身」スイッチ３０が押されたか否かが判断される。そして、「下半身」スイッチ３０がＯＮされていると判断されると、ステップＳ３７に移行する。このステップＳ３７では、エアポンプ１６及び三方電磁切換弁２１〜２３が制御装置１５により作動制御されて、エアバッグ１１〜１３が順に設定された回数膨張・収縮制御させられ、マッサージ椅子利用者の下半身すなわち「臀」、「大腿」、「脹ら脛」が順にマッサージされ、ステップＳ１に戻りループする。
【００３９】
ところで、（２）の座部マッサージ設定に際して、座部のエアバッグ１１，１２の制御を背凭れ部５の起立時にキャンセルするために、キャンセルのフラグＦ「１」をメモリＭ２に記憶させている場合、ステップ３７における利用者の下半身マッサージのうち、座部のマッサージである「臀」、「大腿」のマッサージがキャンセルされる。
＜好みマッサージコース＞
更に、ステップＳ３３において、「下半身」スイッチ３０がＯＮされていないと判断されると、ステップＳ３４に移行する。このステップＳ３４では、「好み」スイッチ２７が押されたか否かが判断される。そして、「好み」スイッチ２７がＯＮされていると判断されると、ステップＳ３８に移行する。
【００４０】
このステップＳ３８では、上述の「（１）好みマッサージコース設定」で、例えば「背中」、「腰」、「大腿」、「脹ら脛」が好みで選択されていると、エアポンプ１６及び三方電磁切換弁１９，２０，２２，２３が制御装置１５により作動制御されて、エアバッグ９，１０，１２，１３が順に設定された回数膨張・収縮制御させられ、マッサージ椅子利用者の「背中」、「腰」、「大腿」、「脹ら脛」が順にマッサージされ、ステップＳ１に戻りループする。
【００４１】
尚、（２）の座部マッサージ設定に際して、座部のエアバッグ１１，１２の制御を背凭れ部５の起立時にキャンセルするために、キャンセルのフラグＦ「１」をメモリＭ２に記憶させている場合、ステップ３８における利用者の好みマッサージのうち、座部のマッサージである「大腿」のマッサージがキャンセルされる。
（変形例１）
以上説明した実施例では、エアバッグ選択モードにおいてキャンセルスイッチ３５を押すことで、背凭れ部５の起立時における座部のエアバッグ１１，１２の膨張・収縮制御をキャンセルするようにしたが、必ずしもこれに限定されるものではない。
【００４２】
即ち、動作制御モードにおいてキャンセルスイッチ３５を押すことで、背凭れ部５の起立時における座部のエアバッグ１１，１２の膨張・収縮制御をキャンセルする様にしてもよい。また、動作制御モードにおいてキャンセルスイッチ３５が押されて、背凭れ部５の起立時における座部のエアバッグ１１，１２の膨張・収縮制御がキャンセルされている場合、復帰スイッチ３６を押すことで、背凭れ部５の起立時における座部のエアバッグ１１，１２の膨張・収縮制御がキャンセルを解除するようにしても良い。
（変形例２）
また、以上説明した実施例では、キャンセルスイッチ３５により背凭れ部５の起立時における座部のエアバッグ１１，１２の膨張・収縮制御をキャンセルする様にしているが、必ずしもこれに限定されるものではない。
【００４３】
例えば、背凭れ部５の起立時における座部のエアバッグ１１，１２の膨張・収縮制御をキャンセルし、背凭れ部５のリクライニング状態のときに座部のエアバッグ１１，１２の膨張・収縮制御を実行可能とする様に予め設定しておいても良い。この場合、この様なエアバッグ１１，１２の膨張・収縮制御を規定制御として予め設定しておき、背凭れ部５の起立時における座部のエアバッグ１１，１２の膨張・収縮制御をキャンセルを解除する解除スイッチを設けておいて、この解除スイッチを押すことで背凭れ部５の起立時における座部のエアバッグ１１，１２の膨張・収縮制御を可能とするようにしても良い。
【００４４】
以上説明したように、この発明の実施の形態の椅子式マッサージ装置は、座部４及び座部４の後部にリクライニング可能に設けられた背凭れ部５を有する椅子本体１と、この椅子本体１の座部４に配設されたエアバッグ１１，１２と、このエアバッグ１１，１２に対してエアを給排気する給排気装置１４と、この給排気装置１４を制御する制御装置（制御手段）１５を備えている。しかも、背凭れ部５の起立時には前記制御装置１５により前記給排気装置１４を制御して前記座部のエアバッグへの給排気動作を停止させる選択手段（キャンセルスイッチ３５及び復帰スイッチ３６、又は変形例１，２のスイッチ）を設けている。
【００４５】
この発明の実施の形態の構成によれば、背凭れ部５が起立した状態では座部４に設けたエアバッグ１１，１２によるマッサージをキャンセルすることができ、リクライニング状態では座部４に設けたエアバッグ１１，１２によるマッサージを実行できる。従って、椅子式マッサージ装置の利用者に背凭れ部５が起立した状態で臀部や大腿部のマッサージを行うのを不快に感じる人がいても、背凭れ部５が起立した状態では座部４に設けたエアバッグ１１，１２によるマッサージをキャンセルすることで、或いは予め背凭れ部５が起立した状態では座部４に設けたエアバッグ１１，１２によるマッサージをキャンセルするようにしておくことで、背凭れ部５の起立状態では臀部や大腿部のマッサージを行わないので、不快感を回避できる。
【００４６】
また、この発明の実施の形態では、前記背凭れ部５のリクライニング状態を検出して検出信号を出力するスイッチ（リクライニング状態検出手段）２４を設け、前記制御装置１５はこのスイッチ２４からの検出信号により前記給排気装置１４を制御して前記座部４のエアバッグ１１，１２への給排気動作を実行する様になっている。
【００４７】
この構成によれば、背凭れ部５が起立した状態では座部４に設けたエアバッグ１１，１２によるマッサージを確実にキャンセルできる。即ち、背凭れ部５が後方に倒れたリクライニング時にのみ座部４のエアバッグ１１，１２によるマッサージを実行できる。
【００４８】
従って、椅子式マッサージ装置の利用者に背凭れ部５が起立した状態で臀部や大腿部のマッサージを行うのを不快に感じる人がいても、背凭れ部５の起立状態では臀部や大腿部のマッサージを行わないので、不快感を回避できる。
【００４９】
【発明の効果】
この発明は、以上説明したように構成したので、背凭れが起立した状態では座部に設けたエアバッグによるマッサージをキャンセルすることができる。
【図面の簡単な説明】
【図１】この発明に係る椅子式マッサージ装置の斜視図である。
【図２】図１の肘掛けを除くと共に背凭れを起立させた状態の椅子式マッサージ装置の概略側面図である。
【図３】図１の肘掛けを除くと共に背凭れをリクライニングさせた状態の椅子式マッサージ装置の概略側面図である。
【図４】図１の制御パネルの拡大説明図である。
【図５】図１〜図３のエアバッグの給排気手段の概略説明図である。
【図６】図５の給排気手段の制御回路図である。
【図７】図５，図６の制御装置の制御動作を説明するためのフローチャートである。
【符号の説明】
１・・・椅子本体
４・・・座部
４ａ・・・上面（人体当接面）
５・・・背凭れ部
５ａ・・・前面（人体当接面）
６・・・足載せ台
６ａ・・・前面（人体当接面）
８〜１３・・・エアバッグ
１４・・・給排気装置
１５・・・制御装置（制御手段）
２４・・・スイッチ（リクライニング状態検出手段）
３５・・・キャンセルスイッチ（選択手段）
３６・・・復帰スイッチ（選択手段）
【図１】
2004008676.tif 000003
【図２】
2004008676.tif 000004
【図３】
2004008676.tif 000005
【図４】
2004008676.tif 000006
【図５】
2004008676.tif 000007
【図６】
2004008676.tif 000008
【図７】
2004008676.tif 000009